(57)【要約】【課題】光アクセスネットワークのスループットの低下を抑えることが可能である加入者線端局装置を提供する。【解決手段】加入者線終端装置を有するＰＯＮから送信された送信要求信号をゲートウェイに転送する転送装置と、送信要求信号の送信タイミングに応じた帯域を送信要求信号に動的に割り当てる割当部とを、ＰＯＮごとに備える通信システムの加入者線端局装置であって、加入者線端局装置は、ＰＯＮごとの割当部と、送信要求信号をゲートウェイが受信可能である時間帯同士が重ならないように、複数の時間帯を定める連携部とを備え、割当部は、時間帯に基づく送信タイミングに応じた帯域を、送信要求信号に動的に割り当てる。【選択図】図１
2018207298.tif 000002
【特許請求の範囲】
【請求項１】
加入者線終端装置を有するＰＯＮ（Passive Optical Network）から送信された送信要求信号をゲートウェイに転送する転送装置と、前記送信要求信号の送信タイミングに応じた帯域を前記送信要求信号に動的に割り当てる割当部とを、前記ＰＯＮごとに備える通信システムの加入者線端局装置であって、
前記ＰＯＮごとの前記割当部と、
前記送信要求信号を前記ゲートウェイが受信可能である時間帯同士が重ならないように、複数の前記時間帯を定める連携部と
を備え、
前記割当部は、前記時間帯に基づく前記送信タイミングに応じた帯域を、前記送信要求信号に動的に割り当てる、
加入者線端局装置。
【請求項２】
前記転送装置は、前記送信要求信号を含む複数のパケットの一部又は全部を単一のパケットにまとめ、単一のパケットにまとめられた前記送信要求信号を前記ゲートウェイに転送する、請求項１に記載の加入者線端局装置。
【発明の詳細な説明】
【技術分野】
【０００１】
本発明は、加入者線端局装置に関する。
【背景技術】
【０００２】
通信形態が固定であるか又は移動体であるかを問わず、様々な構成の通信システムが検討されている。媒体として光ファイバを有する通信システムは、光アクセスネットワークと呼ばれている。光アクセスネットワークの方式には、ＳＳ（Single Star）方式と、ＰＯＮ（Passive Optical Network）方式とがある。
【０００３】
図４は、光アクセスネットワークの構成の例を示す図である。ＳＳ方式では、１台の加入者線端局装置（ＯＬＴ: Optical Line Terminal）に対して１台の加入者線終端装置（ＯＮＵ: Optical Network Unit）が、光ファイバを介して接続される。ＰＯＮ方式では、１台の加入者線端局装置に対して複数の加入者線終端装置が、光ファイバ及び光スプリッタを介して接続される。
【０００４】
以下、加入者線終端装置から加入者線端局装置に向かう方向を「上り方向」という。以下、加入者線端局装置から加入者線終端装置に向かう方向を「下り方向」という。以下、上り方向の信号を「上り信号」という。以下、下り方向の信号を「下り信号」という。
【０００５】
ＰＯＮ方式では、複数の加入者線終端装置が光ファイバを共有している。上り信号同士の衝突を防止するため、加入者線端局装置は、上り信号を加入者線端局装置が送信するタイミングを制御する。加入者線端局装置は、ＭＰＣＰ（Multi-Point Control Protocol）のメッセージを用いて、上り信号の送信タイミングを制御する。
【０００６】
加入者線終端装置は、送信要求信号（ＲＥＰＯＲＴメッセージ）を加入者線端局装置に送信することによって、上り信号の送信許可を加入者線端局装置に要求する。加入者線端局装置は、送信許可信号（ＧＡＴＥメッセージ）を加入者線終端装置に送信することによって、上り信号の送信許可を加入者線終端装置に与える（非特許文献１参照）。ＰＯＮ方式では、加入者線端局装置は、ＭＰＣＰにおける動的帯域割り当て（ＤＢＡ: Dynamic Bandwidth Allocation）によって、複数の加入者線端局装置の上り信号に、送信タイミングに応じた帯域を動的に割り当てる。
【０００７】
従来の加入者線端局装置は、専用ハードウェアで実装されている。近年、加入者線端局装置の機能の一部をデータセンタのサーバ装置にソフトウェアで実装することが検討されている（非特許文献２参照）。非特許文献２では、加入者線端局装置及び加入者線終端装置の管理機能並びに制御機能の一部をデータセンタのサーバ上で実行する。非特許文献２では、ソフトウェアを変更するだけで前述管理及び制御に関する機能を追加できるので、サービス導入の迅速化が期待できる。
【先行技術文献】
【非特許文献】
【０００８】
【非特許文献１】IEEE802.3.ah,“IEEE Std 802.3-2012 SECTION FIVE 64.Multipoint MAC Control”
【非特許文献２】L.Peterson et.al.,“Central Office Re-architected as a Datacenter”, IEEE Communications Magazine, Vol.54 (10), pp.96-101,2016.
【発明の概要】
【発明が解決しようとする課題】
【０００９】
しかしながら非特許文献２では、動的帯域割り当て機能をハードウェアで実装することを前提としている。動的帯域割り当てを高速に計算するためには、多くの計算リソースをハードウェアごとに用意する必要があり、トータルコストが高くなってしまうという問題がある。そこで、動的帯域割り当て機能についてもソフトウェア化し、これをデータセンタに集約することで、集約効果による計算リソースの削減が期待できる。
【００１０】
図５は、光アクセスネットワークの局舎の構成の例を示す図である。図５では、加入者線端局装置の転送系機能と、動的帯域割り当て機能を含む制御及び管理系機能を分離した上で、データセンタのサーバ装置にソフトウェアで実装された加入者線端局装置が動的帯域割り当て等の高速な計算処理を実行する。一方、転送機能は、汎用のＬ２スイッチなどで実装する。本構成では、複数のＰＯＮにおける動的割り当て機能がデータセンタに集約されるため、計算リソースの削減が期待できる。しかしながら、データセンタのサーバ装置にソフトウェアで実装された加入者線端局装置は、複数のＰＯＮの加入者線終端装置から、大量の送信要求信号を受信することになる。
【００１１】
図６は、送信要求信号の受信タイミングの例を示す図である。図６では、複数のＰＯＮから送信された複数の送信要求信号３００がゲートウェイにほぼ同時に到着した場合、ゲートウェイにおいて送信要求信号の遅延及び輻輳が発生する。ゲートウェイにおいて送信要求信号の遅延が発生した場合、加入者線端局装置は、加入者線端局装置と加入者線終端装置との間の伝搬遅延に応じたフレーム往復時間（ＲＴＴ: Round Trip Time）を、正確に測定することができない。加入者線端局装置がフレーム往復時間を正確に測定することができない場合、加入者線端局装置は、光アクセスネットワークのスループットの低下を抑えることができない。
【００１２】
ゲートウェイは、ゲートウェイにおいて送信要求信号の輻輳が発生した場合、送信要求信号を廃棄する場合がある。ゲートウェイが送信要求信号を廃棄した場合、加入者線端局装置の割当部（ＭＰＣＰ機能部）は、送信要求信号を受信することができないので、送信許可信号を加入者線端局装置に送信することができない。したがって、加入者線端局装置は、光アクセスネットワークのスループットの低下を抑えることができない。このように、従来の加入者線端局装置は、光アクセスネットワークのスループットの低下を抑えることができない、という問題があった。
【００１３】
上記事情に鑑み、本発明は、光アクセスネットワークのスループットの低下を抑えることが可能である加入者線端局装置を提供することを目的としている。
【課題を解決するための手段】
【００１４】
本発明の一態様は、加入者線終端装置を有するＰＯＮから送信された送信要求信号をゲートウェイに転送する転送装置と、前記送信要求信号の送信タイミングに応じた帯域を前記送信要求信号に動的に割り当てる割当部とを、前記ＰＯＮごとに備える通信システムの加入者線端局装置であって、前記ＰＯＮごとの前記割当部と、前記送信要求信号を前記ゲートウェイが受信可能である時間帯同士が重ならないように、複数の前記時間帯を定める連携部とを備え、前記割当部は、前記時間帯に基づく前記送信タイミングに応じた帯域を、前記送信要求信号に動的に割り当てる、加入者線端局装置である。
【００１５】
本発明の一態様は、上記の加入者線端局装置であって、前記転送装置は、前記送信要求信号を含む複数のパケットの一部又は全部を単一のパケットにまとめ、単一のパケットにまとめられた前記送信要求信号を前記ゲートウェイに転送する。
【発明の効果】
【００１６】
本発明により、光アクセスネットワークのスループットの低下を抑えることが可能である。
【図面の簡単な説明】
【００１７】
【図１】第１実施形態における、光アクセスネットワークの構成の例を示す図である。
【図２】第１実施形態における、送信要求信号を受信可能である時間帯の例を示す図である。
【図３】第２実施形態における、光アクセスネットワークの構成の例を示す図である。
【図４】光アクセスネットワークの構成の例を示す図である。
【図５】光アクセスネットワークの局舎の構成の例を示す図である。
【図６】送信要求信号の受信タイミングの例を示す図である。
【発明を実施するための形態】
【００１８】
本発明の実施形態について、図面を参照して詳細に説明する。
（第１実施形態）
図１は、光アクセスネットワーク１ａの構成の例を示す図である。光アクセスネットワーク１ａは、媒体として光ファイバを有する通信システムである。光アクセスネットワーク１ａは、複数の加入者線終端装置２と、複数の光スプリッタ３と、複数の光ファイバ４と、転送装置５−１〜５−Ｍ（Ｍは、２以上の整数）と、ゲートウェイ６と、加入者線端局装置７ａとを備える。符号Ｍは、一例として３である。
【００１９】
加入者線終端装置２は、加入者線端局装置７ａが送信した下り信号を終端する装置である。光スプリッタ３は、光ファイバ４を分岐するデバイスである。光ファイバ４は、上り信号又は下り信号としての光信号を伝送する媒体である。
【００２０】
図１では、加入者線終端装置２−１−１〜２−１−Ｎ（符号Ｎは、１以上の整数）と、光スプリッタ３−１と、光ファイバ４−１とは、ＰＯＮ１００−１を構成する。加入者線終端装置２−２−１〜２−２−Ｎと、光スプリッタ３−２と、光ファイバ４−２とは、ＰＯＮ１００−２を構成する。加入者線終端装置２−３−１〜２−３−Ｎと、光スプリッタ３−３と、光ファイバ４−３とは、ＰＯＮ１００−３を構成する。各ＰＯＮ１００が備える加入者線終端装置２の台数Ｎは、互いに異なっていてもよい。光アクセスネットワーク１ａは、更に多くのＰＯＮ１００及び転送装置５を備えてもよい。
【００２１】
転送装置５は、上り信号及び下り信号を転送する装置である。転送装置５は、例えば、Ｌ２スイッチである。転送装置５は、送信許可信号等である下り信号を、ゲートウェイ６から取得する。転送装置５は、下り信号を配下のＰＯＮ１００の加入者線終端装置２に転送する。転送装置５は、送信要求信号等である上り信号を、配下のＰＯＮ１００から取得する。転送装置５は、上り信号をゲートウェイ６に転送する。この際、上り信号のうちＧＡＴＥメッセージ等の制御信号のみをゲートウェイ６に転送し、ユーザデータ信号は別のポートから上位ネットワークに転送してもよい。また、上り信号に所定の変換処理を施し、変換処理が施された上り信号をゲートウェイ６に出力してもよい。前述出力変換処理は、例えば、プロトコル変換処理や、ＶＬＡＮ−ＩＤ変換などの処理である。
【００２２】
ゲートウェイ６は、転送装置５から受け取った上り信号を、加入者線端局装置７ａに出力する。さらに、加入者線端局装置７ａから受け取った下り信号を、転送装置５に出力する。
【００２３】
加入者線端局装置７ａは、加入者線終端装置２が送信した上り信号を終端する装置である。加入者線端局装置７ａは、複数の加入者線終端装置２の上り信号に帯域を割り当てる。加入者線端局装置７ａは、動的帯域割り当てによって、上り信号の帯域を割り当てる。加入者線端局装置７ａは、割当部７０−１〜７０−Ｍと、連携部７１ａとを備える。加入者線端局装置７ａは、加入者線終端装置２の管理及び制御（ＯＡＭ: Operation, Administration, and Maintenance）を実行する機能部を更に備えてもよい。加入者線端局装置７ａは、転送装置５−１〜５−Ｍと、ゲートウェイ６とを含んでもよい。
【００２４】
割当部７０−ｍ（符号ｍは、１〜Ｍのいずれか）は、ＰＯＮ１００−ｍにおいて通信可能（リンクアップ中）である加入者線終端装置２の上り信号に、上り信号の送信タイミングに応じた帯域を動的に割り当てる機能部である。割当部７０−ｍは、ＰＯＮ１００−ｍにおいて通信可能である加入者線終端装置２の台数を表す情報を、連携部７１ａに出力する。すなわち、割当部７０−ｍは、割当部７０−ｍが帯域を割り当てる対象の上り信号を送信する加入者線終端装置２の台数を表す情報を、連携部７１ａに送信する。
【００２５】
割当部７０−ｍは、ＰＯＮ１００−ｍの加入者線終端装置２から送信された送信要求信号をゲートウェイ６が受信可能である時間帯（受信タイミング）を表す情報を、連携部７１ａから取得する。割当部７０−ｍは、ＰＯＮ１００−ｍの加入者線終端装置２から送信された送信要求信号をゲートウェイ６が受信可能である時間帯にゲートウェイ６が送信要求信号を受信するよう、ＰＯＮ１００−ｍの加入者線終端装置２の送信要求信号に、送信要求信号の送信タイミングに応じた帯域を動的に割り当てる。
【００２６】
なお、割当部７０−ｍは、ＰＯＮ１００−ｍの加入者線終端装置２から送信された送信要求信号をゲートウェイ６が受信可能である時間帯（受信タイミング）以外の時間帯を、ＰＯＮ１００−ｍの加入者線終端装置２から送信されるユーザデータ信号をゲートウェイ６が受信可能である時間帯とする。割当部７０−ｍは、ＰＯＮ１００−ｍの加入者線終端装置２から送信されたユーザデータ信号をゲートウェイ６が受信可能である時間帯にゲートウェイ６がユーザデータ信号を受信するよう、ＰＯＮ１００−ｍの加入者線終端装置２のユーザデータ信号に、ユーザデータ信号の送信タイミングに応じた帯域を動的に割り当てる。
【００２７】
連携部７１ａは、ＰＯＮ１００−ｍにおいて通信可能である加入者線終端装置２の台数を表す情報を、割当部７０−ｍから取得する。すなわち、連携部７１ａは、割当部７０−ｍが帯域を割り当てる対象の上り信号を送信する加入者線終端装置２の台数を表す情報を、割当部７０−ｍから取得する。連携部７１ａは、ＰＯＮ１００−ｍにおいて通信可能である加入者線終端装置２の台数に応じて、ＰＯＮ１００−ｍの加入者線終端装置２から送信された送信要求信号をゲートウェイ６が受信可能である時間帯の時間長を定める。
【００２８】
なお、連携部７１ａは、加入者線終端装置２の送信バッファに蓄積されているユーザデータ信号のデータ量の情報を、加入者線終端装置２から送信された送信要求信号から抽出してもよい。連携部７１ａは、加入者線終端装置２の送信バッファに蓄積されているユーザデータ信号のデータ量に応じて、ＰＯＮ１００−ｍの加入者線終端装置２から送信されたユーザデータ信号をゲートウェイ６が受信可能である時間帯の時間長を定めてもよい。
【００２９】
連携部７１ａは、各割当部７０が加入者線終端装置２の送信要求信号等の上り信号に上り信号の送信タイミングに応じた帯域を動的に割り当てる処理を、割当部７０同士で連携させる。連携部７１ａは、異なる割当部７０が帯域を割り当てる各送信要求信号をゲートウェイ６が受信可能である時間帯同士が重ならないようにする。すなわち、連携部７１ａは、複数の加入者線終端装置２から送信された各送信要求信号をゲートウェイ６が受信可能である時間帯同士が重ならないようにする。連携部７１ａは、各送信要求信号をゲートウェイ６が受信可能である時間帯を、ＰＯＮ１００又は割当部７０ごとに異ならせる。連携部７１ａは、各送信要求信号をゲートウェイ６が受信可能である時間帯を、加入者線終端装置２ごとに異ならせてもよい。これによって、連携部７１ａは、異なるＰＯＮ１００の加入者線終端装置２から送信された複数の送信要求信号による輻輳がゲートウェイ６において発生しないようにすることができる。
【００３０】
図２は、送信要求信号を受信可能である時間帯の例を示す図である。連携部７１ａは、割当部７０の配下のＰＯＮ１００の加入者線終端装置２から送信された送信要求信号をゲートウェイ６が受信可能である時間帯を、各割当部７０に通知する。
【００３１】
連携部７１ａは、ＰＯＮ１００ごとに時間帯を定める。これによって、割当部７０は、各ＰＯＮ１００に送信許可信号を送信する回数を少なくすることができる。図２の上段では、連携部７１ａは、ＰＯＮ１００−１の加入者線終端装置２から送信される送信要求信号２００−１−１及び２００−１−２をゲートウェイ６が受信可能である時間帯４００を、割当部７０−１に通知する。連携部７１ａは、ＰＯＮ１００−２の加入者線終端装置２から送信される送信要求信号２００−２−１〜２００−１−３をゲートウェイ６が受信可能である時間帯４０１を、割当部７０−２に通知する。連携部７１ａは、ＰＯＮ１００−２の加入者線終端装置２から送信される送信要求信号２００−２−１〜２００−１−３をゲートウェイ６が受信可能である時間帯４０２を、割当部７０−３に通知する。時間帯４００と時間帯４０１と時間帯４０２とは、互いに重ならない時間帯である。
【００３２】
連携部７１ａは、送信要求信号２００ごとに時間帯を定めてもよい。これによって、割当部７０は、各ＰＯＮ１００に均等に送信許可信号を送信することができる。図２の下段に示されているように、連携部７１ａは、同一のＰＯＮ１００の加入者線終端装置２から送信される送信要求信号を受信可能である時間帯を分割してもよい。すなわち、連携部７１ａは、同一の割当部７０が帯域を割り当てる対象の送信要求信号をゲートウェイ６が受信可能である時間帯同士が連続しないように、時間帯同士を時間方向に離してしてもよい。連携部７１ａは、同一のＰＯＮ１００の加入者線終端装置２から送信される送信要求信号を受信可能である不連続な時間帯を、同一の割当部７０に通知してもよい。
【００３３】
図２の下段では、連携部７１ａは、ＰＯＮ１００−１の加入者線終端装置２から送信される送信要求信号２００−１−１をゲートウェイ６が受信可能である時間帯５００を、割当部７０−１に通知する。連携部７１ａは、送信要求信号２００−１−１をゲートウェイ６が受信可能である時間帯５００と、送信要求信号２００−１−２をゲートウェイ６が受信可能である時間帯５０１とを、割当部７０−１に通知する。連携部７１ａは、送信要求信号２００−２−１をゲートウェイ６が受信可能である時間帯５０２と、送信要求信号２００−２−２をゲートウェイ６が受信可能である時間帯５０３と、送信要求信号２００−２−３及び２００−２−４をゲートウェイ６が受信可能である時間帯５０４とを、割当部７０−２に通知する。連携部７１ａは、送信要求信号２００−３−１をゲートウェイ６が受信可能である時間帯５０５と、送信要求信号２００−３−２をゲートウェイ６が受信可能である時間帯５０６と、送信要求信号２００−３−３をゲートウェイ６が受信可能である時間帯５０７とを、割当部７０−３に通知する。時間帯５００〜５０７は、互いに重ならない時間帯である。
【００３４】
以上のように、第１実施形態の加入者線端局装置７ａは、加入者線終端装置２を有するＰＯＮ１００から送信された送信要求信号２００をゲートウェイ６に転送する転送装置５と、送信要求信号２００の送信タイミングに応じた帯域を送信要求信号２００に動的に割り当てる割当部７０とを、ＰＯＮ１００ごとに備える通信システムの加入者線端局装置である。第１実施形態の加入者線端局装置７ａは、ＰＯＮ１００ごとの割当部７０と、送信要求信号２００をゲートウェイ６が受信可能である時間帯同士が重ならないように、複数の時間帯を定める連携部７１ａとを備える。割当部７０は、時間帯に基づく送信タイミングに応じた帯域を、送信要求信号２００に動的に割り当てる。
【００３５】
これによって、第１実施形態の加入者線端局装置７ａは、光アクセスネットワーク１ａのスループットの低下を抑えることが可能である。第１実施形態の加入者線端局装置７ａは、ゲートウェイ６における送信要求信号の受信タイミングが重ならないように送信要求信号の送信タイミングを制御するので、ＤＢＡ機能部が集約された仮想的な加入者線端局装置（仮想ＯＬＴ）を実現することが可能である。
【００３６】
第１実施形態の加入者線端局装置７ａは、ゲートウェイ６における送信要求信号の受信可能な時間帯がＰＯＮ１００同士又は割当部７０同士で重複しないので、送信要求信号の遅延又は輻輳による送信要求信号の廃棄（パケットロス）を防止することが可能である。第１実施形態の加入者線端局装置７ａは、ＰＯＮ方式の構成を採用することができるので、ゲートウェイ６のポート数を削減することが可能である。
【００３７】
（第２実施形態）
第２実施形態では、加入者線端局装置が複数である点が、第１実施形態と相違する。第２実施形態では、第１実施形態との相違点についてのみ説明する。
【００３８】
図３は、光アクセスネットワーク１ｂの構成の例を示す図である。光アクセスネットワーク１ｂは、媒体として光ファイバを有する通信システムである。光アクセスネットワーク１ｂは、複数の加入者線終端装置２と、複数の光スプリッタ３と、複数の光ファイバ４と、複数の転送装置５と、複数のゲートウェイ６と、複数の加入者線端局装置７ｂと、連携部７１ｂとを備える。加入者線端局装置７ｂ−１は、割当部７０−１と、割当部７０−３とを備える。加入者線端局装置７ｂ−２は、割当部７０−２と、割当部７０−４とを備える。
【００３９】
図３では、加入者線終端装置２−１−１〜２−１−Ｎと、光スプリッタ３−１と、光ファイバ４−１とは、ＰＯＮ１００−１を構成する。加入者線終端装置２−２−１〜２−２−Ｎと、光スプリッタ３−２と、光ファイバ４−２とは、ＰＯＮ１００−２を構成する。加入者線終端装置２−３−１〜２−３−Ｎと、光スプリッタ３−３と、光ファイバ４−３とは、ＰＯＮ１００−３を構成する。加入者線終端装置２−４−１〜２−４−Ｎと、光スプリッタ３−４と、光ファイバ４−４とは、ＰＯＮ１００−４を構成する。
【００４０】
転送装置５は、加入者線端局装置７ｂにおける割り当て処理の負荷を分散するために、送信要求信号等の転送先とするゲートウェイ６を選択する。送信要求信号等の転送先とするゲートウェイ６は、転送装置５ごとに予め定められてもよい。これにより、割り当て処理の負荷は、複数の加入者線端局装置７ｂに分散される。加入者線端局装置７ｂが備える割当部７０の個数は、各加入者線端局装置７ｂにおける割り当て処理の負荷が同程度となるように定められる。割り当て処理の負荷は、加入者線端局装置７ｂのＣＰＵの使用率や、加入者線端局装置７ｂが受信する送信要求信号の数に基づいて定められる。図３では、一例として、加入者線端局装置７ｂ−１が備える割当部７０の個数と、加入者線端局装置７ｂ−２が備える割当部７０の個数とは同じである。
【００４１】
連携部７１ｂは、異なる割当部７０が帯域を割り当てる送信要求信号同士を同一のゲートウェイ６が受信可能である時間帯同士が重ならないようにする。すなわち、連携部７１ｂは、複数の加入者線終端装置２から送信された各送信要求信号を同一のゲートウェイ６が受信可能である時間帯同士が重ならないようにする。連携部７１ｂは、送信要求信号を同一のゲートウェイ６が受信可能である時間帯を、ＰＯＮ１００又は割当部７０ごとに異ならせる。連携部７１ｂは、送信要求信号を同一のゲートウェイ６が受信可能である時間帯を、加入者線終端装置２ごとに異ならせてもよい。
【００４２】
図３では、連携部７１ｂは、ＰＯＮ１００−１又はＰＯＮ１００−３の加入者線終端装置２から送信された送信要求信号をゲートウェイ６−１が受信可能である時間帯を異ならせる。連携部７１ｂは、ＰＯＮ１００−２又はＰＯＮ１００−４の加入者線終端装置２から送信された送信要求信号をゲートウェイ６−２が受信可能である時間帯を異ならせる。これによって、連携部７１ｂは、異なるＰＯＮ１００の加入者線終端装置２から送信された複数の送信要求信号による輻輳が同一のゲートウェイ６において発生しないようにすることができる。
【００４３】
以上のように、第２実施形態の光アクセスネットワーク１ｂは、加入者線終端装置２を有するＰＯＮ１００から送信された送信要求信号をゲートウェイ６に転送する転送装置５と、送信要求信号２００の送信タイミングに応じた帯域を送信要求信号２００に動的に割り当てる割当部７０とを、ＰＯＮ１００ごとに備える通信システムである。第２実施形態の光アクセスネットワーク１ｂは、ＰＯＮ１００ごとの割当部７０を有する加入者線端局装置７ｂと、送信要求信号２００をゲートウェイ６が受信可能である時間帯同士が重ならないように、複数の時間帯を定める連携部７１ｂとを備える。割当部７０は、時間帯に基づく送信タイミングに応じた帯域を、送信要求信号２００に動的に割り当てる。
【００４４】
これによって、第２実施形態の光アクセスネットワーク１ｂは、転送装置５の台数が多く単一のゲートウェイ６における受信処理の負荷が高い場合でも、光アクセスネットワーク１ｂのスループットの低下を抑えることが可能である。
【００４５】
（第３実施形態）
第３実施形態では、送信要求信号を含む複数のパケットの一部又は全部を転送装置５が単一のパケットにまとめる点が、第１実施形態と相違する。第３実施形態では、第１実施形態との相違点についてのみ説明する。
【００４６】
転送装置５は、送信要求信号を含む複数のパケットの一部又は全部を、単一のパケットにまとめてもよい。転送装置５は、単一のパケットにまとめられた送信要求信号を、ゲートウェイ６に転送する。なお、第３実施形態の加入者線端局装置７ａの連携部７１ａは、割当部７０の割り当て処理を連携させてもよいし、連携させなくてもよい。
【００４７】
以上のように、第３実施形態の転送装置５は、送信要求信号２００を含む複数のパケットの一部又は全部を単一のパケットにまとめる。転送装置５は、単一のパケットにまとめられた送信要求信号２００をゲートウェイ６に転送する。これによって、加入者線端局装置７ａは、ゲートウェイ６における送信要求信号２００の受信処理の負荷を軽減するので、光アクセスネットワーク１ａのスループットの低下を抑えることが可能である。
【００４８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４９】
本発明は、光アクセスネットワークの加入者線端局装置に適用可能である。
【符号の説明】
【００５０】
１ａ，１ｂ…光アクセスネットワーク、２…加入者線終端装置、３…光スプリッタ、４…光ファイバ、５…転送装置、６…ゲートウェイ、７ａ，７ｂ…加入者線端局装置、７０…割当部、７１ａ，７１ｂ…連携部、１００…ＰＯＮ、２００…送信要求信号、３００…送信要求信号、４００〜４０２…時間帯、５００〜５０７…時間帯
【図１】
2018207298.tif 000003
【図２】
2018207298.tif 000004
【図３】
2018207298.tif 000005
【図４】
2018207298.tif 000006
【図５】
2018207298.tif 000007
【図６】
2018207298.tif 000008